【手続補正書】
【提出日】平成18年4月25日(2006.4.25)
【手続補正１】
【補正対象書類名】明細書
【補正対象項目名】特許請求の範囲
【補正方法】変更
【補正の内容】
【特許請求の範囲】
【請求項１】
基板面に設けられたトランジスタ及び該トランジスタに接続された発光素子を含む表示装置において、
前記トランジスタは、半導体で形成された活性層、該活性層に接するゲート絶縁膜、該ゲート絶縁膜を介して前記活性層に対向するゲート電極、前記活性層上方のバリア層、該バリア層上の平坦化層並びに該平坦化層上のドレイン電極を有し、
前記発光素子は、前記平坦化層上において前記ドレイン電極の上面に接して接続された画素電極、該画素電極に接する発光体及び該発光体を介して前記画素電極に対向する対向電極を有し、
前記ドレイン電極は、前記ゲート絶縁膜及び前記バリア層に設けられた第１開口部並びに前記平坦化層に設けられた第２開口部を介して前記活性層に接続され、
前記第２開口部の内部に前記第１開口部があることを特徴とする表示装置。
【請求項２】
基板面に設けられたトランジスタ及び該トランジスタに接続された発光素子を含む表示装置において、
前記トランジスタは、半導体で形成された活性層、該活性層に接するゲート絶縁膜、該ゲート絶縁膜を介して前記活性層に対向するゲート電極、前記活性層上方の平坦化層、該平坦化層上のバリア層並びに該バリア層上のドレイン電極を有し、
前記発光素子は、前記平坦化層上において前記ドレイン電極の上面に接して接続された画素電極、該画素電極に接する発光体及び該発光体を介して前記画素電極に対向する対向電極を有し、
前記ドレイン電極は、前記ゲート絶縁膜及び前記バリア層に設けられた第１開口部並びに前記平坦化層に設けられた第２開口部を介して前記活性層に接続され、
前記バリア層は、前記平坦化層の上面及び該平坦化層に設けられた前記第２開口部の側面を被覆していることを特徴とする表示装置。
【請求項３】
基板面に設けられたトランジスタ及び該トランジスタに接続された発光素子を含む表示装置において、
前記トランジスタは、半導体で形成された活性層、該活性層に接するゲート絶縁膜、該ゲート絶縁膜を介して前記活性層に対向するゲート電極、前記活性層上方のバリア層、該バリア層上の平坦化層並びに該平坦化層上のドレイン電極を有し、
前記発光素子は、前記平坦化層上において前記ドレイン電極の下面に接して接続された画素電極、該画素電極に接する発光体及び該発光体を介して前記画素電極に対向する対向電極を有し、
前記ドレイン電極は、前記ゲート絶縁膜及び前記バリア層に設けられた第１開口部並びに前記平坦化層に設けられた第２開口部を介して前記活性層に接続され、
前記第２開口部の内部に前記第１開口部があることを特徴とする表示装置。
【請求項４】
基板面に設けられたトランジスタ及び該トランジスタに接続された発光素子を含む表示装置において、
前記トランジスタは、半導体で形成された活性層、該活性層に接するゲート絶縁膜、該ゲート絶縁膜を介して前記活性層に対向するゲート電極、前記活性層上方の平坦化層、該平坦化層上のバリア層並びに該バリア層上のドレイン電極を有し、
前記発光素子は、前記平坦化層上において前記ドレイン電極の下面に接して接続された画素電極、該画素電極に接する発光体及び該発光体を介して前記画素電極に対向する対向電極を有し、
前記ドレイン電極は、前記ゲート絶縁膜及び前記バリア層に設けられた第１開口部並びに前記平坦化層に設けられた第２開口部を介して前記活性層に接続され、
前記バリア層は、前記平坦化層の上面及び該平坦化層に設けられた前記第２開口部の側面を被覆していることを特徴とする表示装置。
【請求項５】
基板面に設けられたトランジスタ及び該トランジスタに接続された発光素子を含む表示装置において、
前記トランジスタは、半導体で形成された活性層、該活性層に接するゲート絶縁膜、該ゲート絶縁膜を介して前記活性層に対向するゲート電極、前記活性層上方のバリア層、該バリア層上の絶縁層、該絶縁層上のドレイン電極、該ドレイン電極上の平坦化層を有し、
前記発光素子は、前記平坦化層上に設けられ、かつ、該平坦化層に設けられた開口部を介して前記ドレイン電極に接続された画素電極、該画素電極に接する発光体及び該発光体を介して前記画素電極に対向する対向電極を有し、
前記ドレイン電極は、前記ゲート絶縁膜及び前記バリア層に設けられた第１開口部並びに前記絶縁層に設けられた第２開口部を介して前記活性層に接続されていることを特徴とする表示装置。
【請求項６】
基板面に設けられたトランジスタ及び該トランジスタに接続された発光素子を含む表示装置において、
前記トランジスタは、半導体で形成された活性層、該活性層に接するゲート絶縁膜、該ゲート絶縁膜を介して前記活性層に対向するゲート電極、前記活性層上方の絶縁層、該絶縁層上のバリア層、該バリア層上のドレイン電極並びに該ドレイン電極上の平坦化層を有し、
前記発光素子は、前記平坦化層上に設けられ、かつ、該平坦化層に設けられた開口部を介して前記ドレイン電極に接続された画素電極、該画素電極に接する発光体及び該発光体を介して前記画素電極に対向する対向電極を有し、
前記ドレイン電極は、前記ゲート絶縁膜及び前記バリア層に設けられた第１開口部並びに前記絶縁層に設けられた第２開口部を介して前記活性層に接続され、
前記バリア層は、前記絶縁層の上面及び該絶縁層に設けられた前記第２開口部の側面を被覆していることを特徴とする表示装置。
【請求項７】
基板面に設けられたトランジスタ及び該トランジスタに接続された発光素子を含む表示装置において、
前記トランジスタは、半導体で形成された活性層、該活性層に接するゲート絶縁膜、該ゲート絶縁膜を介して前記活性層に対向するゲート電極、前記活性層上方の絶縁層、該絶縁層上のバリア層、該バリア層上のドレイン電極並びに該ドレイン電極上の平坦化層を有し、
前記発光素子は、前記平坦化層上に設けられ、かつ、該平坦化層に設けられた開口部を介して前記ドレイン電極に接続された画素電極、該画素電極に接する発光体及び該発光体を介して前記画素電極に対向する対向電極を有し、
前記ドレイン電極は、前記ゲート絶縁膜、前記絶縁層及び前記バリア層に設けられた開口部を介して前記活性層に接続され、
前記バリア層は、前記絶縁層の上面を被覆していることを特徴とする表示装置。
【請求項８】
請求項５乃至請求項７のいずれか一において、前記平坦化層の上面が窒化シリコン膜で覆われていることを特徴とする表示装置。
【請求項９】
請求項１乃至請求項８のいずれか一において、前記画素電極の端部は、樹脂膜で覆われていることを特徴とする表示装置。
【請求項１０】
請求項９において、前記樹脂膜の側面は丸いことを特徴とする表示装置。
【請求項１１】
請求項９において、前記樹脂膜は前記第１開口部及び前記第２開口部を覆うことを特徴とする表示装置。
【請求項１２】
請求項１乃至請求項１１のいずれか一において、前記画素電極は酸化物導電膜からなることを特徴とする表示装置。
【請求項１３】
請求項１乃至請求項１１のいずれか一において、前記画素電極は金属膜からなることを特徴とする表示装置。
【請求項１４】
基板面に設けられたトランジスタ及び該トランジスタに接続された発光素子を含む表示装置において、
前記トランジスタは、半導体で形成された活性層、該活性層に接するゲート絶縁膜、該ゲート絶縁膜を介して前記活性層に対向するゲート電極、前記活性層上方のバリア層、該バリア層上の平坦化層並びに該平坦化層上のドレイン電極を有し、
前記ドレイン電極は、第１金属膜及び第２金属膜を積層した構造を含む積層電極であると共に該第２金属膜の一部が除去されて前記第１金属膜が露出した部分を有し、
前記発光素子は、前記第１金属膜が露出した部分、該第１金属膜が露出した部分に接する発光体及び該発光体を介して前記第１金属膜が露出した部分に対向する対向電極を有し、
前記ドレイン電極は、前記ゲート絶縁膜及び前記バリア層に設けられた第１開口部並びに前記平坦化層に設けられた第２開口部を介して前記活性層に接続されていることを特徴とする表示装置。
【請求項１５】
基板面に設けられたトランジスタ及び該トランジスタに接続された発光素子を含む表示装置において、
前記トランジスタは、半導体で形成された活性層、該活性層に接するゲート絶縁膜、該ゲート絶縁膜を介して前記活性層に対向するゲート電極、前記活性層上方の平坦化層、該平坦化層上のバリア層並びに該バリア層上のドレイン電極を有し、
前記ドレイン電極は、第１金属膜及び第２金属膜を積層した構造を含む積層電極であると共に該第２金属膜の一部が除去されて前記第１金属膜が露出した部分を有し、
前記発光素子は、前記第１金属膜が露出した部分、該第１金属膜が露出した部分に接する発光体及び該発光体を介して前記第１金属膜が露出した部分に対向する対向電極を有し、
前記バリア層は、前記平坦化層の上面及び該絶縁層に設けられた第１開口部の側面を被覆していることを特徴とする表示装置。
【請求項１６】
基板面に設けられたトランジスタ及び該トランジスタに接続された発光素子を含む表示装置において、
前記トランジスタは、半導体で形成された活性層、該活性層に接するゲート絶縁膜、該ゲート絶縁膜を介して前記活性層に対向するゲート電極、前記活性層上方の平坦化層、該平坦化層上のバリア層並びに該バリア層上のドレイン電極を有し、
前記ドレイン電極は、第１金属膜及び第２金属膜を積層した構造を含む積層電極であると共に該第２金属膜の一部が除去されて前記第１金属膜が露出した部分を有し、
前記発光素子は、前記第１金属膜が露出した部分、該第１金属膜が露出した部分に接する発光体及び該発光体を介して前記第１金属膜が露出した部分に対向する対向電極を有し、
前記ドレイン電極は、前記ゲート絶縁膜、前記平坦化層及び前記バリア層に設けられた開口部を介して前記活性層に接続され、
前記バリア層は、前記平坦化層の上面を被覆していることを特徴とする表示装置。
【請求項１７】
請求項１４乃至請求項１６のいずれか一において、前記発光体と前記第２金属膜は接しており、前記第２金属膜が前記発光体と接する前記第２金属膜の面と該第２金属膜の上面とがなす角は、鈍角であることを特徴とする表示装置。
【請求項１８】
請求項１４乃至請求項１７のいずれか一において、前記発光体の膜厚は、前記第２金属膜の膜厚より薄いことを特徴とする表示装置。
【請求項１９】
請求項１４乃至請求項１８のいずれか一において、画素部における前記第２金属膜の一部が除去されて前記第１金属膜が露出した部分以外の部分は、樹脂膜で覆われていることを特徴とする表示装置。
【請求項２０】
請求項１乃至請求項１９のいずれか一において、前記バリア層は、窒化シリコン膜であることを特徴とする表示装置。
【請求項２１】
請求項１乃至請求項２０のいずれか一において、前記平坦化層は、スピンコートにより形成された無機絶縁膜であることを特徴とする表示装置。
【請求項２２】
請求項１乃至請求項２０のいずれか一において、前記平坦化層は、研磨により平坦化された無機絶縁膜であることを特徴とする表示装置。
【請求項２３】
請求項１乃至請求項２２のいずれか一に記載の表示装置を表示部に備えたことを特徴とする電子機器。
【請求項２４】
請求項１乃至請求項２２のいずれか一に記載の表示装置を表示部に用いた携帯電話。
【手続補正２】
【補正対象書類名】明細書
【補正対象項目名】００４０
【補正方法】変更
【補正の内容】
【００４０】
また、データ配線１５２及び接続配線（ドレイン電極に相当する。）は、第１開口部及び第２開口部を介してソース領域１０４もしくはドレイン領域１０５に接続される。接続配線１１４は、駆動用ＴＦＴ１５５のゲートに接続される配線である。これらデータ配線１５２及び接続配線１１４は、アルミニウムや銅といった低抵抗な金属を主成分とする配線を他の金属膜で挟んだ構造やこれらの金属の合金膜を用いれば良い。
【手続補正３】
【補正対象書類名】明細書
【補正対象項目名】０１２８
【補正方法】変更
【補正の内容】
【０１２８】
基板２０１上には、画素部（表示部）２０２、該画素部２０２を囲むように設けられたデータ線駆動回路２０３、ゲート線駆動回路２０４ａ、２０４ｂ及び保護回路２０５が配置され、これらを囲むようにしてシール材２０６が設けられている。画素部２０２の構造については、実施の形態１〜２３及びその説明を参照すれば良い。シーリング材２０７としては、ガラス材、金属材（代表的にはステンレス材）、セラミックス材、プラスチック材（プラスチックフィルムも含む）を用いることができるが、実施の形態１〜２４に示したように絶縁膜のみで封止することも可能である。また、ＥＬ素子からの光の放射方向によっては、透光性材料を用いる必要がある。
【手続補正４】
【補正対象書類名】図面
【補正対象項目名】図１
【補正方法】変更
【補正の内容】
【図１】
2004046110.tif 000001
【手続補正５】
【補正対象書類名】図面
【補正対象項目名】図９
【補正方法】変更
【補正の内容】
【図９】
2004046110.tif 000002
【手続補正６】
【補正対象書類名】図面
【補正対象項目名】図１４
【補正方法】変更
【補正の内容】
【図１４】
2004046110.tif 000003